(57)【特許請求の範囲】
【請求項１】
被検眼を照明する照明手段と、前記被検眼を撮影又は測定する撮影・測定手段を有する眼科装置であって、
前記照明手段によって照明された被検眼からの反射光を検出する検出手段と、
前記検出手段からの出力波形を所定時間間隔毎にサンプリングして、サンプリング単位間隔における前後のデータの変化状態を時系列的に監視し、サンプリング期間の前後の前記出力波形の波形レベルの比を演算してこの演算結果に基づいて被検眼のまばたきを判定するまばたき検出手段を設けたことを特徴とする眼科装置。
【請求項２】
前記まばたき検出手段は、前記演算結果が規定値を超えた場合に、まばたきが発生したと判定することを特徴とする請求項１に記載の眼科装置。
【請求項３】
撮影モードを選択する選択手段をさらに備え、
前記照明手段は、前記選択手段によって特定部位を撮影する撮影モードが選択された場合、出力レベルを変更することを特徴とする請求項１または２に記載の眼科装置。
【請求項４】
前記まばたき検出手段は、前記サンプリング単位間隔における前後のデータの変化の状態と、この変化の状態の継続状態を監視して、まばたきか否かを判定することを特徴とする請求項１から３のいずれか１つに記載の眼科装置。
【請求項５】
被検眼の撮影又は測定を実行する指示のためのスイッチをさらに備え、
前記まばたき検出手段は、前記スイッチが押された際の被検眼からの反射光の値を基準値として設定し、前記撮影又は測定開始直前に得られる反射光の値を前記基準値とを比較することにより、前記サンプリング期間の前後の前記出力波形の波形レベルの比を演算することを特徴とする請求項１から４のいずれか１つに記載の眼科装置。
【発明の詳細な説明】
【０００１】
【発明の属する技術分野】
本発明は、被検者の被検眼の眼底を観察、撮影するために用いられる眼底カメラや被検眼の測定を行う眼圧計等の眼科装置に関する。
【０００２】
【従来の技術】
従来から、眼科装置においては、被検眼が撮影中又は測定中に固視状態が変化したり、まばたきをすることによりその撮影や測定を失敗することがあった。
【０００３】
そのため、例えば、特許公開公報（特開昭６２−２８１９２３号）に記載されている眼底カメラにおいては、照明した被検眼からの反射光を受光する受光素子の光電流レベルを予め設定されたレベルと比較することにより被検眼がまばたきをしているかどうかを判断し、被検眼がまばたきをしていると判断した場合には所定の遅延時間経過後に被検眼の眼底を撮影するようにしている。
【０００４】
また、例えば、特許公開公報（特開平５−９５９０５号）に記載されている眼底カメラにおいては、モニタ上の被検眼の眼底像の複数の点における信号強度を基にして異常の種類を判断し、判断した異常の種類に応じて眼底の撮影を行うことなく撮影者にその異常の種類を知らせるようにしていた。
【０００５】
【発明が解決しようとする課題】
しかし、上述した従来の眼底カメラにおいては、被検眼の状態が被検者毎に異なるため被検眼がまばたきをしているかどうかを確実には検出することができず、眼底の撮影に失敗してしまう場合があった。このような場合、眼底の撮影を再度行わなければならず、被検者に負担がかかるという問題があった。
【０００６】
本発明は上記事情に鑑みてなされたものであり、本発明の目的は、被検眼からの反射光の変化を時系列的に検出することにより、被検眼のまばたきや固視状態の変化をより確実に検出して、被検眼の無駄な撮影を防止し効率よく撮影や測定を行うことが可能な眼科装置を提供することである。
【０００７】
また、本発明の他の目的は、スイッチが押された場合でも、撮影や測定が開始される前に被検眼の状態を把握することができる眼科装置を提供することである。
【０００８】
【課題を解決するための手段】
上記課題を解決するために、本発明は、被検眼を照明する照明手段と、前記被検眼を撮影又は測定する撮影・測定手段を有する眼科装置であって、前記照明手段によって照明された被検眼からの反射光を検出する検出手段と、前記検出手段からの出力波形を所定時間間隔毎にサンプリングして、サンプリング単位間隔における前後のデータの変化状態を時系列的に監視し、サンプリング期間の前後の前記出力波形の波形レベルの比を演算してこの演算結果に基づいて被検眼のまばたきを判定するまばたき検出手段を設けたことを特徴とする。
【０００９】
請求項２に記載の発明は、前記まばたき検出手段は、前記演算結果が規定値を超えた場合に、まばたきが発生したと判定することを特徴とする。
【００１０】
請求項３に記載の発明は、撮影モードを選択する選択手段をさらに備え、前記照明手段は、前記選択手段によって特定部位を撮影する撮影モードが選択された場合、出力レベルを変更することを特徴とする。
【００１１】
請求項４に記載の発明は、前記まばたき検出手段は、前記サンプリング単位間隔における前後のデータの変化の状態と、この変化の状態の継続状態を監視して、まばたきか否かを判定することを特徴とする。
【００１２】
請求項５に記載の発明は、被検眼の撮影又は測定を実行する指示のためのスイッチをさらに備え、前記まばたき検出手段は、前記スイッチが押された際の被検眼からの反射光の値を基準値として設定し、前記撮影又は測定開始直前に得られる反射光の値を前記基準値とを比較することにより、前記サンプリング期間の前後の前記出力波形の波形レベルの比を演算することを特徴とする。
【００１３】
【発明の実施の形態】
以下、本発明の実施の形態について図面を参照して説明する。
【００１４】
図１は本発明の実施の形態の眼科装置の一例である眼底カメラ装置の外観構成を検者側から見た図、図２は本発明の実施の形態の眼科装置の一例である眼底カメラ装置の光学系を含めた構成を示す図である。図１および図２に示すように、本発明の実施の形態の眼科装置は、図示しないテーブルなどに設置される固定基台６１と、固定基台６１上に設けられ、被検者Ｏの被検眼Ｅの眼底に対する観察や撮影などを行うための装置本体６２と、被検者Ｏの顔を固定するために設けられ、垂直方向（上下方向）に移動可能な図示しない顎受けおよび額当てを有する顎受け部６７とを備えている。
【００１５】
装置本体６２は、被検眼Ｅとの間のアライメントを行うために固定基台６１上で水平方向（前後方向、左右方向）に移動可能に設けられている架台６２ａと、架台６２ａ上に設けられ、被検眼Ｅの眼底に対する観察や撮影などを行い、被検眼Ｅとの間のアライメントのために垂直方向に移動可能に設けられている無散瞳の眼底カメラ６２ｂと、架台６２ａ上に設けられ、眼底カメラ６２ｂを支持するための支持部６２ｃとを備えている。
【００１６】
眼底カメラ６２ｂには、対物レンズ２０を有する対物鏡筒６２ｄと、接眼レンズ３３を有する接眼鏡筒６２ｅと、撮影フィルムＦが装填されている撮影カメラ６２ｆとがそれぞれ設けられている。
【００１７】
眼底カメラ６２ｂの上部には、ＴＶリレーレンズユニット６８が設けられている。また、ＴＶリレーレンズユニット６８には、撮像素子３４を有する可視蛍光（ＦＡＧ）撮影用ＴＶカメラ６９と、撮像素子３５を有する赤外蛍光（ＩＣＧ）撮影用ＴＶカメラ７０がそれぞれ着脱可能に取り付けられている。
【００１８】
架台６２ａ上には、装置本体６２を挟んで顎受け部６７とは反対側に、検者による手動操作により眼底カメラ６２ｂを移動させるための操作レバーとして用いられ、撮影スイッチ６４ａを有するジョイスティック６４と、顎受けを垂直方向に移動させるための顎受けスイッチ６５と、通常撮影モード、可視蛍光撮影モード、赤外蛍光撮影モードなどの各撮影モードを選択するための撮影モード選択スイッチ５２とが設けられている。
【００１９】
図２に示すように、眼底カメラ６２ｂには、被検眼Ｅを照明する照明光学系と、照明された被検眼Ｅの眼底を観察、撮影する観察／撮影光学系と、被検眼Ｅがまばたきしているかどうかを検出するための検出光学系とが設けられている。
【００２０】
照明光学系は、被検眼Ｅの眼底の観察用光源として用いられる例えばハロゲンランプ９と、コンデンサレンズ１０と、被検眼Ｅの撮影用光源として用いられる例えばキセノン（Ｘｅ）ランプ１１と、コンデンサレンズ１２と、反射ミラー１３と、エキサイタフィルタ１４、１５と、リング開口を有するリング開口板１６と、リレーレンズ１７、１８と、孔開きミラー１９と、対物レンズ２０とによって構成されている。
【００２１】
エキサイタフィルタ１４、１５は光路に対して挿脱可能に設けられている。例えば、可視蛍光撮影モードの場合にはエキサイタフィルタ１４のみが光路上に挿入されて配置され、赤外蛍光撮影モードの場合にはエキサイタフィルタ１５のみが光路上に挿入されて配置され、通常撮影モードの場合には、エキサイタフィルタ１４、１５はどちらも光路から取り除かれる（退避される）。
【００２２】
このように構成されている照明光学系において、被検眼Ｅの眼底を観察する場合には、ハロゲンランプ９を発光させる。ハロゲンランプ９から発した光は、コンデンサレンズ１０および反射ミラー１３を介してリング開口板１６に到達する。リング開口板１６のリング開口を通った光は、リレーレンズ１７、１８、孔開きミラー１９、および対物レンズ２０を介して被検眼Ｅに照射される。なお、リング開口板１６は瞳孔と共役な位置に配置されるので、これによりリング開口像が形成され眼底が照明されることになる。なお、通常撮影モードなどの場合には、キセノンランプ１１が発光し、被検眼Ｅの眼底を観察する場合と同様にして眼底を照明する。
【００２３】
一方、観察／撮影光学系は、対物レンズ２０と、バリアフィルタ２１、２２と、合焦レンズ２３と、撮影レンズ２４とによって構成されている。バリアフィルタ２１、２２は光路に対して挿脱可能に設けられている。例えば、可視蛍光撮影モードの場合にはバリアフィルタ２１のみが光路上に挿入されて配置され、赤外蛍光撮影モードの場合にはバリアフィルタ２２のみが光路上に挿入されて配置され、通常撮影モードの場合には、バリアフィルタ２１、２２はどちらも光路から取り除かれる。
【００２４】
また、この観察／撮影光学系は、クイックリターンミラー２５と、視野レンズ２６と、切換えミラー２７と、接眼レンズ３３とを備えている。切換えミラー２７は、可視蛍光撮影モードの場合には撮影スイッチ６４ａが押される毎に点線位置に移動して光路から取り除かれ、赤外蛍光撮影モードの場合には撮影スイッチ６４ａの操作によらず点線位置に停止した状態となる。
【００２５】
被検眼Ｅの眼底からの反射光は、対物レンズ２０、孔開きミラー１９、合焦レンズ２３、および撮影レンズ２４を介してクイックリターンミラー２５に導かれる。クイックリターンミラー２５および切換えミラー２７がそれぞれ実線位置にある場合には、被検眼Ｅの眼底からの反射光がクイックリターンミラー２５で反射し、視野レンズ２６および切換えミラー２７を介して接眼レンズ３３に到達する。これにより、検者は被検眼Ｅの眼底を観察することができる。
【００２６】
クイックリターンミラー２５が点線位置に跳ね上げられた場合、眼底からの反射光は撮影カメラ６２ｆ内に装填されている撮影フィルムＦに到達し、撮影フィルムＦ面上に眼底像が結像される。
【００２７】
ＴＶリレーレンズユニット６８は、リレーレンズ２８と、結像レンズ２９と、切換えミラー３０と、リレーレンズ３１と、反射ミラー３２とによって構成される光学系を備えている。切換えミラー３０は、可視蛍光撮影モードの場合には点線位置に移動して配置され、赤外蛍光撮影モードの場合には実線位置に移動して配置される。
【００２８】
クイックリターンミラー２５が実線位置に配置され、切換えミラー２７が点線位置に配置されている状態で可視蛍光撮影モードの場合には、クイックリターンミラー２５に到達した眼底からの反射光は、視野レンズ２６、リレーレンズ２８、結像レンズ２９、リレーレンズ３１、および反射ミラー３２を介して可視蛍光撮影用ＴＶカメラ６９の撮像素子３４に到達し、これにより撮像素子３４上に眼底像が結像される。
【００２９】
また、クイックリターンミラー２５が実線位置に配置され、切換えミラー２７が点線位置に配置されている状態で赤外蛍光撮影モードの場合には、クイックリターンミラー２５に到達した眼底からの反射光は、視野レンズ２６、リレーレンズ２８、結像レンズ２９、および切換えミラー３０を介して赤外蛍光撮影用ＴＶカメラ７０の撮像素子３５に到達し、これにより撮像素子３５上に眼底像が結像される。
【００３０】
被検眼Ｅのまばたきを検出するための検出光学系は、対物レンズ２０と、受光素子４０とによって構成されている。受光素子４０は被検眼Ｅからの反射光の一部を連続して受光する。
【００３１】
図３は本発明の実施の形態の眼科装置の一例である眼底カメラ装置の構成の一部を示すブロック図である。図３に示すように、本発明の実施の形態の眼科装置の制御処理ユニット５７は、ハロゲンランプ９およびキセノンランプ１１の発光制御を行う発光制御回路４５と、クイックリターンミラー２５および切換えミラー２７、３０を移動させるためのミラー駆動回路４６と、撮影モード選択スイッチ５２と、ジョイスティック６４と、ジョイスティック６４に設けられている撮影スイッチ６４ａと、顎受けスイッチ６５と、顎受けスイッチ６５の操作により顎受けを上下方向に移動させる顎受け駆動回路６６と、眼底カメラ６２ｂを左右方向（Ｘ方向）にアライメントさせるためのＸ方向アライメント機構５５と、眼底カメラ６２ｂを前後方向（Ｚ方向）にアライメントさせるためのＺ方向アライメント機構５６と、受光素子４０で受光した受光信号（アナログ信号）をＡ／Ｄ（アナログ／デジタル）変換器４１でデジタル信号に変換し、このデジタル信号を基に演算処理して被検眼Ｅのまばたきの検出を行うための演算処理ユニット４２と、上述した各種フィルタを光路に対して挿脱するためのフィルタ駆動回路５８と、撮影カメラ６２ｆと、可視蛍光撮影用ＴＶカメラ６９と、赤外蛍光撮影用ＴＶカメラ７０とにそれぞれ接続され、これら各ユニットの動作を制御する。
【００３２】
また、制御処理ユニット５７には、制御処理タイミングを図るため、及び詳細を後述するまばたき検出の際の前記受光素子４０からの出力波形を所定間隔でサンプリングするための基準時間やまばたき検出時間を設定するためのタイマー８０が接続されており、また、前記まばたき検出のための比較データや検出データ等を記憶するための記憶手段８１及び、制御プログラム、まばたき検出プログラムを記憶しているＲＯＭ８２が接続されている。
【００３３】
次に、図４のタイミングチャートを参照して、眼底カメラ装置による撮影のタイミングについて説明する。
【００３４】
被検眼Ｅと眼底カメラ６２ｆとの間のアライメントが終了した後、検者は、撮影モード選択スイッチ５２により撮影モードを選択する。さらに、ジョイスティック６４に設けられている撮影スイッチ６４をオンすることにより、撮影スイッチオン信号が制御処理ユニット５７に出力されて眼底の撮影が開始される。
【００３５】
制御処理ユニット５７では、この撮影スイッチオン信号を受けると、ミラー駆動回路４６を制御し、クイックリターンミラー２５を所定の位置に配置させる。
例えば、通常撮影モードが選択されている場合、クイックリターンミラー２５は点線位置に配置され、可視蛍光撮影モードや赤外蛍光撮影モードが選択されている場合、クイックリターンミラー２５は実線位置に配置される。
【００３６】
なお、制御処理ユニット５７は、選択された撮影モードに応じてフィルタ挿入信号を出力する。ソレノイドなどで構成されるフィルタ駆動回路５８では、このフィルタ挿入信号に応じてエキサイタフィルタ１４、１５およびバリアフィルタ２１、２２を光路に対して挿脱する。
【００３７】
以上のような動作が終了した後、制御処理ユニット５７では、選択された撮影モードに応じて、撮影カメラ６２ｆ、可視蛍光撮影用ＴＶカメラ６９、または赤外蛍光撮影用ＴＶカメラ７０のいずれかに対してレリーズ信号を出力する。例えば、通常撮影モードの場合において撮影カメラ６２ｆがこのレリーズ信号を受けると、眼底の撮影の準備を行い、準備が整った時点でキセノンランプトリガー信号を出力する。
【００３８】
制御処理ユニット５７では、撮影カメラ６２ｆから出力されたキセノンランプトリガー信号を受けると、発光制御回路４５を制御してキセノンランプ１１を発光させて眼底の撮影を行う。これにより、撮影カメラ６２ｆ内の撮影フィルムＦに眼底像が結像する。なお、上述した被検眼Ｅのまばたきの検出は、通常、キセノンランプ１１の発光の直前まで行われ、キセノンランプトリガー信号の発生とともに予め設定された時間Ｔａの間だけ上述したようなまばたきの検出を中止するようにしている。
【００３９】
なお、上述したような被検眼の眼底の撮影前処理において生じる眼科装置各部の動作音に被検者が反応してまばたきをしてしまう場合もある。そのため、このような場合を考慮した待ち時間を設け、この待ち時間分だけレリーズ信号の発生タイミングを遅らせるようにすれば、眼底の撮影中に被検眼がまばたきをするようなことを回避できる確率をかなり上げることが可能となる。
【００４０】
一方、被検眼の眼底の撮影前処理による眼科装置各部の動作音に被検者が反応してまばたきをしてしまうことがない場合には、レリーズ信号をその分早めに発生させれば眼底の撮影の効率を向上させることが可能である。
【００４１】
さらに、特殊な撮影（例えば、眼底の特定部位の周辺の撮影、小瞳孔での撮影）モードにおいては、定常状態における受光素子の出力波形にフレアーの発生による影響が混入する確率が高い。そのため、このような特殊な撮影モードにおいては、被検眼のまばたきを検出する際の出力レベルなどを他の撮影モードの場合と比較して変更すれば、フレアーの発生による影響を除去して被検眼のまばたきの検出を行うことができる。
【００４２】
以上のような各状況に全て対応できるようにした本発明のまばたき（又は瞬きと表現する）検出システムにつき、図５及び図６を参照して説明する。
【００４３】
ここでは、図６に示す受光素子４０からの受光波形に対して、所定時間（Δｔ）間隔でサンプリングを行い、この期間の前後の波形レベルd1とd2の比（d2／d1）を演算し、この演算結果の値（d2／d1）が、規定値（まばたきと認知するレベル）以上か、規定値未満かによってまばたきの有無を判断すると共に、その判別結果の状態が所定時間（タイマーにより設定）継続しているか否かによって、まばたきであるか否かを確定させるという手法を用いている。
【００４４】
ここで、各項目とその内容の意味について説明する。
【００４５】
【表１】
0004557359.tif 000002
【００４６】
また、フラグを立てるとその時点で
（１）フラグを立てたときのセンサーデータの記憶（d2’とする）
（２）瞬き時間の時間計測を開始
の２つを行う。
【００４７】
そして、フラグを立てたあとは、瞬きの終了の検知を開始する。（経路Ｂ）
終了を認知するアイテムとして以下の２つで行っている。
（１）記憶データ（d2’）とその後のΔｔで読み込んだセンサーデータ（d2）を比較して規定値以下に達したとき。
（２）タイマーの時間が規定時間（通常、瞬きであれば４００ms程度なのでその倍の８００msとしている）に達したとき。
【００４８】
次に、撮影中は、アライメント中にフラグが立っているかどうかをまず判断し、フラグが立っていない場合、センサーデータを取り込み瞬きでないことを再度確認する。
【００４９】
その結果、瞬きでない場合撮影を行う。
【００５０】
次に、図５のフローチャートをも参照して、まばたき検出のプロセスの具体例を説明する。ここで、アライメント中は常にまばたきの検出を行い、規定値を超えたときは、まばたきのフラグを立てており、撮影中はアライメント中にフラグが立っていたか否かを判断し、フラグが立っていないときは、センサーデータを取り込みまばたきでないことを再確認するというプロセスを基本とする。そして、アライメント中にまばたきであると判断した変化率（d2／d1）を基準値として設定し、この基準値を撮影時の基準値として用いるようにしている。
【００５１】
先ず、アライメントスイッチがＯＮとなって、このプロセスがスタートする。
そして、ある時点のサンプリング間隔Δｔの開始点における受光素子４０（センサー）のデータ（センサーデータ）d1を読み込み記憶手段に記憶する（ＳＴ１）。
【００５２】
次に、期間Δｔ経過後のセンサーデータd2の読み込みを行い記憶する（ＳＴ２）。次にフラグが立っているか否かを判断し（ＳＴ３）、立っていないときは経路Ａに進み、データd1とd2の比（d2／d1）を演算する（ＳＴ４）。d2／d1が規定値以上であれば、センサーデータd2をフラグを立てるときの記憶値d2’に代入し（ＳＴ５）、まばたきのフラグを立てる（ＳＴ６）。そして、まばたき時間を計測するタイマーの計時を開始し（ＳＴ７）、前記ステップ・ＳＴ２に戻る。前記ステップＳＴ４でd2／d1が規定値以下となっている場合は、まばたきでないと判断し、センサーデータd2をd1に代入する（ＳＴ８）。
【００５３】
前記ステップＳＴ３において、フラグが立っているときは、経路Ｂに進み、タイマーにより計時時間を判断し（ＳＴ９）、規定時間内であれば、フラグを立てたときのデータd2’とデータd2の比（d2／d2’）を演算し、規定値以上か否かを判断する（ＳＴ１０）。規定値以上であればステップＳＴ２に戻る。ステップＳＴ１０において規定値未満であれば、センサーデータd2をd1に代入し（ＳＴ１１）、まばたきのフラグをクリアする（ＳＴ１２）。
【００５４】
次に、撮影スイッチＯＮとなったときのまばたきの検出プロセスを図６を参照して説明する。
【００５５】
図６の撮影中の開始時点（下段のΔ印）のところの時刻ｔ1で、撮影スイッチがＯＮとなったとすれば、そのスイッチＯＮよりも若干前（例えば２０msec）の時刻ｔｏをサンプリング開始点に設定し、このｔｏでのセンサーデータをd1とする。そして、レリーズスイッチが押される時刻ｔ４の若干前の時刻ｔ３（例えば２０msec）で、サンプリング間隔Δｔが終了し、この時刻ｔ３でのセンサーデータをd2として求める。このようにして求められたデータd1、d2を用いて前記図５のフローチャートのステップＳＴ２以降のフローに従って処理を実行して、まばたき検出を行い、まばたきであると判断されたら、レリーズスイッチをオンしても発光されないようにしている。まばたきでなければ、レリーズスイッチをオンにして撮影が行われる。
【００５６】
このようなまばたき検出を行うことにより、前述した、被検眼の不用意のまばたき、特殊撮影におけるフレアーの発光による影響等に関係なく対処することができる。
【００５７】
前記実施の形態では、撮影スイッチが押された際のセンサーの出力値を基準値として設定し、撮影開始直前のセンサーの出力を基準値と比較して被検眼の状態（まばたきや、固視状態の変化等）を検出するので、被検者毎に変化の状態が異なる場合でも確実に検出を行なうことができる。
【００５８】
また、前記実施の形態ではセンサーを１つだけ示したが、上下、左右に４個配置しておけば固視の移動等を確実に検出することができる。
【００５９】
また、このセンサーに変えて、観察用モニターとして使用されるＣＣＤ素子の撮像を処理して、これによって、検出する方法を用いてもよい。
【００６０】
尚、上記実施の形態では眼底撮影を行う場合について説明したが眼圧計による測定を行う場合にも適用できることは言う迄もない。
【００６１】
【発明の効果】
以上のような本発明によれば、被検眼からの反射光を受光する受光素子の出力を所定時間間隔でサンプリングし、各間隔毎の前後のデータの変化率を時系列的にモニタし被検眼の状態（まばたきや、固視の移動等）をより確実に検出しているので、被検眼の無駄な撮影や測定を防止し効率よく撮影や測定を行うことが可能となる。
【００６２】
また、スイッチを押した際のセンサー出力を基準値とし、これと撮影や測定開始直前のセンサーの出力値とを比較して被検眼の状態を検出しているので、被検眼の状態が被検者毎に異なっていたとしても確実な検出を行うことができる。
【図面の簡単な説明】
【図１】本発明の実施の形態の眼科装置の一例である眼底カメラ装置の外観構成を示す図である。
【図２】本発明の実施の形態の眼科装置の一例である眼底カメラ装置の光学系を含めた構成を示す図である。
【図３】本発明の実施の形態の眼科装置の一例である眼底カメラ装置の構成の一部を示すブロック図である。
【図４】本発明の実施の形態の眼科装置の一例である眼底カメラ装置による眼底の撮影のタイミングチャートを示す図である。
【図５】まばたき検出のフローチャートである。
【図６】受光素子の出力波形図である。
【符号の説明】
Ｏ  被検者
Ｅ  被検眼
１１  キセノンランプ
２５  クイックリターンミラー
２７、３０  切換えミラー
４０  受光素子
４１  Ａ／Ｄ変換器
４２  演算処理ユニット
４５  発光制御回路
４６  ミラー駆動回路
５２  撮影モード選択スイッチ
５７  制御処理ユニット
６２ｂ  眼底カメラ
６２ｆ  撮影カメラ
６４  ジョイスティック
６４ａ  撮影スイッチ
６８  ＴＶリレーレンズユニット
６９  可視蛍光撮影用ＴＶカメラ
７０  赤外蛍光撮影用ＴＶカメラ
【図１】
0004557359.tif 000003
【図２】
0004557359.tif 000004
【図３】
0004557359.tif 000005
【図４】
0004557359.tif 000006
【図５】
0004557359.tif 000007
【図６】
0004557359.tif 000008